(57)【要約】【課題】  着用者の首の動作に対してフードが追随可能であって、ヘルメット内部の蒸れを低減し、耳が覆われることなく周囲の音が聞き取りやすいフード及びフード付き防水衣服を提供すること。【解決手段】  本考案のフード付き防水衣服１のフード２は、着用者１０の耳１１より上の頭部を覆う覆頭部２１と、覆頭部２１に連設され、着用者１０の後頭部及び頸部を覆う覆頸部２２と、覆頭部２１の端部及び覆頸部２２の端部によって構成される顔面開口縁部２３とを備え、顔面開口縁部２３の一部が着用者１０の耳１１の後ろ側を回り込むようになっており、ヘルメット３の内側に着用するようになっている。【選択図】  図１
0003145673.tif 000002
【実用新案登録請求の範囲】
【請求項１】
着用者の耳より上の頭部を覆う覆頭部と、
覆頭部に連設され、着用者の後頭部及び頸部を覆う覆頸部と、
覆頭部の端部及び覆頸部の端部によって構成される顔面開口縁部とを備えるフードにおいて、    
顔面開口縁部の一部が着用者の耳の後ろ側を回り込むようになっており、ヘルメットの内側に着用することを特徴とするフード。
【請求項２】
覆頭部の端部及び／又は覆頸部の端部には、覆頭部の端部及び／又は覆頸部の端部の長さを調節することができる調節手段が設けられていることを特徴とする請求項１に記載のフード。  
【請求項３】
覆頭部の端部の調節手段は、伸縮部材であることを特徴とする請求項２に記載のフード。
【請求項４】
覆頭部の一部が通気性素材で形成されていることを特徴とする請求項１乃至３のいずれかに記載のフード。
【請求項５】
通気性素材はメッシュ素材であることを特徴とする請求項４に記載のフード。
【請求項６】
請求項１乃至５のいずれかに記載のフードを具備した防水衣服であって、フードの下端が防水衣服の襟近傍に取り付けられていることを特徴とするフード付き防水衣服。
【請求項７】
フードの下端が防水衣服の襟の内側基部に取り付けられていることを特徴とする請求項６に記載のフード付き防水衣服。
【考案の詳細な説明】
【技術分野】
【０００１】
本考案は、着用者の頭部及び頸部を覆うフード及びそのフード付きの防水衣服に関し、特にヘルメットと同時に使用することができるフード及びそのフード付きの防水衣服に関する。
【背景技術】
【０００２】
工事現場、バイク走行又は自転車走行等においては、雨が降ったときには防水衣服等を着用する。防水衣服にはフードが設けられており、このフードで頭部を覆うことによって頭部が濡れることを防止する。
【０００３】
このようなフード付き防水衣服として、特開２００８−７５２０２に示すようなものがある。工事現場等やバイク走行では、頭部の安全確保のためヘルメットの着用が義務付けられている。したがって、特開２００８−７５２０２に示すフード付き防水衣服のフードをヘルメットの上から被ることになる。
【考案の開示】
【考案が解決しようとする課題】
【０００４】
しかしながら、ヘルメットの上からフードを被ることよって、ヘルメットの分だけフードを大きくする必要があるとともに、防水衣服の着用者の首の動作に対してフードが追随しないため、側方から後方にかけての視野が狭くなるという問題がある。
【０００５】
フードをヘルメットの内側に着用することによってある程度フードは追随するが、ヘルメット内部が蒸れるという問題もある。さらに、フードは耳を覆っていることによって、周囲の音が聞き取りにくくなり、工事現場での安全を妨げるおそれがある。
【０００６】
バイク走行では、走行中の風圧を考慮するとフルフェイスヘルメットを覆うようなフードは現実的ではないので、防水衣服にフードがない場合がある。しかしながら、前傾姿勢でバイクを運転する際にはヘルメットを流れる水が防水衣服の襟の内側に入り込み走行中に不快な思いをする場合がある。襟を高くすると水が防水衣服の襟の内側に入り込むことは防止できるが、首が動かしにくくなり走行中の視認範囲が制限されるという問題もある。
【０００７】
バイク走行でも、フードをヘルメットの内側に着用するとフードは追随するが、ヘルメット内部が蒸れるとともに、フードが耳を覆っていることによって周囲の音が聞き取りにくくなり、安全走行に影響を及ぼす可能性があるという問題もある。
【０００８】
上記のような問題を鑑み、本考案は、着用者の首の動作に対してフードが追随可能であって、ヘルメット内部の蒸れを低減し、耳が覆われることなく周囲の音が聞き取りやすいフード及びフード付き防水衣服を提供することを目的とする。
【課題を解決するための手段】
【０００９】
上記課題を解決するため、請求項１のフードは、着用者の耳より上の頭部を覆う覆頭部と、覆頭部に連設され、着用者の後頭部及び頸部を覆う覆頸部と、覆頭部の端部及び覆頸部の端部によって構成される顔面開口縁部とを備え、顔面開口縁部の一部が着用者の耳の後ろ側を回り込むようになっており、ヘルメットの内側に着用するようになっている。
【００１０】
請求項２のフードは、覆頭部の端部及び／又は覆頸部の端部には、覆頭部の端部及び／又は覆頸部の端部の長さを調節することができる調節手段が設けられている。
【００１１】
請求項３のフードは、覆頭部の端部の調節手段が伸縮部材である。
【００１２】
請求項４のフードは、覆頭部の一部が通気性素材で形成されている。
【００１３】
請求項５のフードは、通気性素材がメッシュ素材である。
【００１４】
請求項６のフード付き防水衣服は、請求項１乃至５のいずれかに記載のフードを具備した防水衣服であって、フードの下端が防水衣服の襟近傍に取り付けられているようになっている。
【００１５】
請求項７のフード付き防水衣服は、フードの下端が防水衣服の襟の内側基部に取り付けられているようになっている。
【考案の効果】
【００１６】
請求項１のフードによれば、顔面開口縁部の一部が着用者の耳の後ろ側を回り込むようになっていることによって、耳が覆われることなく周囲の音が聞き取りやすい。さらに、ヘルメットの内側にフードを着用するためフードの覆頭部がヘルメットと頭部との間で挟まれるので、フードが着用者の首の動作に追随し、側方から後方にかけての視野が狭くなることを防止することができる。
【００１７】
請求項２のフードによれば、覆頭部の端部には覆頭部の端部の長さを調節することができる調節手段が設けられていることによって、少なくとも覆頭部の端部が頭部に密着し、頭部とともにフードが動くようにすることができる。したがって、フードが着用者の首の動作に確実に追随することができる。また、頭部にフードを着用するときに覆頭部の端部の長さを長くすることによって、頭部への着用が容易になるとともに、頭部に着用した状態で覆頭部の端部の長さが短くなるようにすることによって、覆頭部の端部が頭部に密着する度合いを強くすることができる。
【００１８】
また、覆頭部の端部及び覆頸部の端部に調節手段が設けられていることによって、覆頭部の端部及び覆頸部の端によって構成されている顔面開口縁部が着用者の皮膚に密着する。したがって、覆頭部の端部及び覆頸部の端部から雨等が侵入することを防止できる。
【００１９】
請求項３のフードによれば、調整手段が伸縮部材であることによって、頭部に着用するときに覆頭部の端部の長さを容易に長くすることができるとともに、フードの着脱を繰り返し行っても、覆頭部の端部が頭部に密着する度合いを常に適正な範囲で保つことができる。
【００２０】
請求項４のフードによれば、覆頭部の一部が通気性素材で形成されていることによって、ヘルメットの内側にフード着用しても頭部が蒸れることを防止できる。
【００２１】
請求項５のフードによれば、通気性素材はメッシュ素材であることによって、蒸れ防止と覆頭部の軽量化を両立することができる。
【００２２】
請求項６のフード付き防水衣服によれば、着用者の首の動作に対してフードが追随可能であって、ヘルメット内部の蒸れを低減し、耳が覆われることなく周囲の音が聞き取りやすいフード付き防水衣服を実現することができる。
【００２３】
請求項７のフード付き防水衣服によれば、フードの下端が防水衣服の襟の内側基部に取り付けられていることにより、フードを使用しないときには、フードを折りたたんで襟の内側に収容できる。
【考案を実施するための最良の形態】
【００２４】
以下、本考案の一実施形態について図面に基づいて説明する。図1は、着用者１０が本考案の一実施形態であるフード２付きの防水衣服１を着用し、ヘルメット３を装着した状態を示す斜視図である。図２は、図１の着用者１０の後方側から見た場合の斜視図である。図３は、図１の状態からヘルメット３を脱いだ状態を示す斜視図である。本実施形態では、ヘルメット３は工事現場等で使用される作業用ヘルメットである。
【００２５】
図１から図３に示すように、本実施形態のフード２は、着用者１０の耳１１より上の頭部を覆う覆頭部２１と、覆頭部２１に連設され、着用者１０の後頭部及び頸部を覆う覆頸部２２と、覆頭部２１の端部及び覆頸部２２の端部によって構成される顔面開口縁部２３とを備える。顔面開口縁部２３の一部が着用者１０の耳１１の後ろ側を回り込むようになっており、図１及び図２に示すようにヘルメット３の内側にフード２の覆頭部２１を着用するようになっている。
【００２６】
覆頭部２１は、着用者１０の頭の形状に応じた略半球形状をなしている。フード２を着用した際に、覆頭部２１の後頭部側の端部に覆頸部２２が連接されており、図２に示すように着用者１０の後頭部及び頸部を覆うようになっている。
【００２７】
顔面開口縁部２３の一部が着用者１０の耳１１の後ろ側を回り込むようになっていることによって、耳１１が覆われることなく周囲の音が聞き取りやすい。さらに、ヘルメット３の内側にフード２の覆頭部２１を着用するため、フード２の覆頭部２１がヘルメット３と頭部との間に挟まれるので、フード２が着用者１０の首の動作に追随し、側方から後方にかけての視野が狭くなることを防止することができる。
【００２８】
図３に示すように、本実施形態では覆頭部２１の端部に、覆頭部２１の端部の長さを調節することができる調節手段として、伸縮部材であるゴム２１Ａが取り付けられている。ゴム２１Ａは、フード２を着用した際に着用者１０の額に位置するようになっている。
【００２９】
ゴム２１Ａが設けられていることによって、少なくとも覆頭部２１の端部が頭部に密着し、頭部とともにフード２が動くようにすることができる。したがって、フード２が着用者１０の首の動作に確実に追随することができる。
【００３０】
また、頭部にフード２を着用するときにゴム２１Ａを伸ばし覆頭部２１の端部の長さを長くすることによって、頭部への着用が容易になるとともに、頭部に着用した状態でゴム２１Ａが縮まろうとする力を利用して、覆頭部２１の端部が頭部に密着する度合いを強くすることができる。
【００３１】
さらに、ゴム２１Ａが設けられていることによって、フード２の着脱を繰り返し行っても、覆頭部２１の端部が頭部に密着する度合いを適正な範囲で保つことができる。
【００３２】
覆頭部２１の一部が通気性素材であるメッシュ素材２１Ｂで形成されている。覆頭部２１の一部がメッシュ素材２１Ｂであることによって、蒸れ防止と覆頭部２１の軽量化を両立することができる。
【００３３】
覆頸部２２は、内側に水が浸透しない防水素材で形成されている。フード２の下端である覆頸部２２の下端は、防水衣服１の襟１２近傍に縫合によって取り付けられている。フード２を着用した状態では、襟１２はフード２の内側に位置するようになっている。
【００３４】
本実施形態では、襟１２は基部に対して端部が外側に折り返された構造となっている。襟１２の折り返しによって襟１２の内側にはフード２を収容する収容部が形成されている。フード２の下端である覆頸部２２の下端が防水衣服１の襟１２の内側基部に取り付けられていることにより、フード２を使用しないときには、フード２を折りたたんで襟１２の内側の収容部に収容できるようになっている。
【００３５】
フード２の覆頸部２２の端部の内部には、覆頸部２２の端部の長さを調節することができる調節手段として紐２２Ａ、２２Ａが挿通されている。紐２２Ａ、２２Ａは、伸縮性のある紐から構成されており、紐２２Ａ、２２Ａの覆頸部２２の端部の内部に挿通された側の一端は覆頸部２２の端部に固定されている。紐２２Ａ、２２Ａの他端は覆頸部２２の端部から外部に延出している。
【００３６】
紐２２Ａ、２２Ａを引っ張ることによって、覆頸部２２の端部の長さを短くすることができ、覆頸部２２の端部が着用者１０の皮膚に密着するようになっている。前述の覆頭部２１の端部及び覆頸部２２の端部に調節手段である紐２２Ａ、２２Ａが設けられていることによって、覆頭部２１の端部及び覆頸部２２の端によって構成されている顔面開口縁部２３が着用者１０の皮膚に密着する。したがって、覆頭部２１の端部及び覆頸部２２の端部から雨等が侵入することを防止できる。
【００３７】
本実施形態では、伸縮部材であるゴム２１Ａによって覆頭部２１の端部を頭部に密着させる場合について説明したが、これに限定されない。例えば、ヘルメット３の着装体が頭部への密着する度合いを調整できる場合は、ヘルメット３の着装体と着用者１０の頭部との間にフードの覆頭部が挟まれるので、覆頭部の伸縮部材がなくても、フードが着用者の首の動作に確実に追随することができる。
【００３８】
本実施形態では、覆頭部２１の端部の長さを調節することができる調節手段として、伸縮部材であるゴム２１Ａが設けられている場合について説明したが、これに限定されることなく、例えば、調整手段が面ファスナー等であってもよい。
【００３９】
また、本実施形態では、覆頭部２１の一部が通気性素材であるメッシュ素材２１Ｂで形成されている場合について説明したがこれに限定されることなく、覆頭部の一部がメッシュ素材以外の通気性素材であってもよい。
【００４０】
また、本実施形態では、工事現場等で使用される作業用ヘルメット３の内側にフード２の覆頭部２１を着用する場合について説明したが、これに限定されることなく、バイク用ヘルメットの内側にフードを着用してもよい。
【００４１】
また、本実施形態では、フード２の下端である覆頸部２２の下端は、防水衣服１の襟１２近傍に縫合によって取り付けられている場合について説明したが、これに限定されることなく、フード２がファスナーや面ファスナーを用いて防水衣服１に対して着脱自在になっていてもよい。
【図面の簡単な説明】
【００４２】
【図１】着用者１０が本考案の一実施形態であるフード２付きの防水衣服１を着用し、ヘルメット３を装着した状態を示す斜視図である。
【図２】図１の着用者１０の後方側から見た場合の斜視図である。
【図３】図１の状態からヘルメット３を脱いだ状態を示す斜視図である。
【符号の説明】
【００４３】
１      防水衣服
２      フード
３      ヘルメット
１０    着用者
１１    耳
１２    襟
２１    覆頭部
２１Ａ  ゴム
２１Ｂ  メッシュ素材
２２    覆頸部
２２Ａ  紐
２３    顔面開口縁部
【図１】
0003145673.tif 000003
【図２】
0003145673.tif 000004
【図３】
0003145673.tif 000005